(57)【要約】【課題】使用者の好みに応じてカバー部材の付加機能を選択できる。【解決手段】互いに重なり合う第１、第２ケース１、２がヒンジ部３によって回動可能に連結された電子辞書において、少なくとも第２ケース２にその外表面を覆った状態で装着されるほぼ平板状のカバー部材４を備え、このカバー部材４に、平板状部品１５を外部に露出させた状態で嵌め込むための嵌め込み部１６を設けた。従って、カバー部材４によって少なくとも第２ケース２を保護することができるほか、特にカバー部材４に設けられた嵌め込み部１６に機能の異なる平板状部品１５を使用者が適宜選択して嵌め込むことにより、使用者の好みに応じてカバー部材４の付加機能を自由に選択することができる。【選択図】        図１
2005018324.tif 000002
【特許請求の範囲】
【請求項１】
互いに重なり合う２つのケースがヒンジ部によって回動可能に連結された折り畳み機器の前記２つのケースのうち、少なくとも一方のケースにその外表面を覆った状態で装着されるほぼ平板状のカバー部材であって、
平板状部品を外部に露出させた状態で嵌め込むための嵌め込み部を有することを特徴とするカバー部材。
【請求項２】
互いに重なり合う２つのケースがヒンジ部によって回動可能に連結された折り畳み機器において、
前記２つのケースの少なくとも一方のケースにその外表面を覆った状態で装着されるほぼ平板状のカバー部材を備え、このカバー部材には、平板状部品を外部に露出させた状態で嵌め込むための嵌め込み部が設けられていることを特徴とする折り畳み機器。
【請求項３】
前記平板状部品は、前記嵌め込み部に着脱可能に装着されることを特徴とする請求項２に記載の折り畳み機器。
【請求項４】
前記嵌め込み部は、前記カバー部材の外表面側のみに開放された凹部形状に形成されていることを特徴とする請求項２または３に記載の折り畳み機器。
【請求項５】
前記嵌め込み部は、前記カバー部材の表裏面に貫通して形成された開口部であることを特徴とする請求項２または３に記載の折り畳み機器。
【請求項６】
少なくとも前記カバー部材の外表面側に位置する前記嵌め込み部の縁部には、前記平板状部品を係止する係止部が設けられていることを特徴とする請求項４または５に記載の折り畳み機器。
【請求項７】
前記平板状部品は、透明板、鏡、名刺入れ、カード型電子機器、ゲーム板、平面レンズなどの平板状のものであることを特徴とする請求項２〜６のいずれかに記載の折り畳み機器。
【請求項８】
前記カバー部材は、前記一方のケースに着脱可能に装着されていることを特徴する請求項２〜７のいずれかに記載の折り畳み機器。
【請求項９】
前記カバー部材は、前記一方のケースにヒンジ部材によって回動可能に取り付けられていることを特徴する請求項２〜７のいずれかに記載の折り畳み機器。
【請求項１０】
前記平板状部品は、前記一方のケースにヒンジ部材によって回動可能に取り付けられていることを特徴する請求項２〜８のいずれかに記載の折り畳み機器。
【発明の詳細な説明】
【０００１】
【発明の属する技術分野】
この発明は、電子辞書や携帯電話機などの機器に用いられるカバー部材およびそれを用いた折り畳み機器に関する。
【０００２】
【従来の技術】
従来、携帯型の電子機器においては、機器ケースの外表面にカバー部材を設けて機器ケースを保護すると共に、このカバー部材に第１、第２支持板を折り畳み可能に取り付けてスタンド機能を持たせたものがある（例えば、特許文献１参照。）。
【０００３】
【特許文献１】
特開２００２−３４１９６６号公報
【０００４】
【発明が解決しようとする課題】
しかしながら、この特許文献１の電子機器では、カバー部材にスタンド機能を持たせた構造であるから、機器ケースを立て掛けて使用することができても、スタンド機能以外の機能を選ぶことができないため、使用者の好みに応じてカバー部材の付加機能を自由に選択することができないという不都合がある。
【０００５】
この発明の課題は、使用者の好みに応じてカバー部材の付加機能を選択できるようにすることである
【０００６】
【課題を解決するための手段】
この発明は、上記課題を解決するために、次のような構成要素を備えている。なお、各構成要素には、後述する各実施形態の項で説明される各要素に付されている図面の参照番号などを括弧と共に付す。
請求項１に記載の発明は、図１〜図２８に示すように、互いに重なり合う２つのケース（第１、第２ケース１、２）がヒンジ部（３）によって回動可能に連結された折り畳み機器の前記２つのケースのうち、少なくとも一方のケース（第２ケース２）にその外表面を覆った状態で装着されるほぼ平板状のカバー部材（４）であって、平板状部品（１５）を外部に露出させた状態で嵌め込むための嵌め込み部（１６、２４、２６、３６）を有することを特徴とするカバー部材である。
【０００７】
この発明によれば、カバー部材によって少なくとも一方のケースを保護することができるほか、特にカバー部材に設けられた嵌め込み部に機能の異なる平板状部品を使用者が適宜選択して嵌め込むことにより、使用者の好みに応じてカバー部材の付加機能を自由に選択することができる。
【０００８】
請求項２に記載の発明は、図１〜図２８に示すように、互いに重なり合う２つのケース（第１、第２ケース１、２）がヒンジ部（３）によって回動可能に連結された折り畳み機器において、前記２つのケースの少なくとも一方のケース（第２ケース２）にその外表面を覆った状態で装着されるほぼ平板状のカバー部材（４）を備え、このカバー部材には、平板状部品（１５）を外部に露出させた状態で嵌め込むための嵌め込み部（１６、２４、２６、３６）が設けられていることを特徴とする折り畳み機器である。
この発明によれば、請求項１に記載の発明と同様、カバー部材によって少なくとも一方のケースを保護することができるほか、カバー部材に設けられた嵌め込み部に機能の異なる平板状部品を使用者が適宜選択して嵌め込むことにより、使用者の好みに応じてカバー部材の付加機能を自由に選択することができる。
【０００９】
請求項３に記載の発明は、図１〜図１３に示すように、前記平板状部品（１５）が、前記嵌め込み部（１６、２４、２６）に着脱可能に装着されることを特徴とする請求項２に記載の折り畳み機器である。
この発明によれば、嵌め込み部に平板状部品が着脱可能に装着されるので、平板状部品を容易に交換することができ、これによりカバー部材を変えずに機能の異なる平板状部品のみを変更することができるので、使用者の好みに応じてカバー部材の付加機能を簡単に変更することができる。
【００１０】
請求項４に記載の発明は、図６に示すように、前記嵌め込み部（１６）が、前記カバー部材（４）の外表面側のみに開放された凹部形状に形成されていることを特徴とする請求項２または３に記載の折り畳み機器である。
この発明によれば、嵌め込み部が凹部形状に形成されているので、平板状部品を嵌め込み部から取り外しても、この嵌め込み部に対応する個所のケースの外表面をカバー部材で露出させずに覆うことができ、これによりケースの外表面を傷付けずに一方のケースを良好に保護することができる。
【００１１】
請求項５に記載の発明は、図１２および図１３に示すように、前記嵌め込み部（２４、２６）が、前記カバー部材（４）の表裏面に貫通して形成された開口部であることを特徴とする請求項２または３に記載の折り畳み機器である。
この発明によれば、嵌め込み部がカバー部材の表裏面に貫通して形成されていることにより、平板状部品をカバー部材の表裏両面側から嵌め込み部に嵌め込むことができるので、平板状部品の着脱作業性が良いばかりか、平板状部品をカバー部材とほぼ同じ厚みに形成することができるので、平板状部品としてカード型の電子機器やゲーム板などの少し厚みのある平板状のものでも良好に装着することができる。
【００１２】
請求項６に記載の発明は、図６、図１２、図１３に示すように、少なくとも前記カバー部材（４）の外表面側に位置する前記嵌め込み部（１６、２４、２６）の縁部に、前記平板状部品（１５）を係止する係止部（弾性係止突起１８、２５、係止部２７）が設けられていることを特徴とする請求項４または５に記載の折り畳み機器である。
この発明によれば、平板状部品をカバー部材の嵌め込み部に嵌め込んで装着すると、平板状部品が係止部に係止されるので、平板状部品がカバー部材の外表面から抜け出すのを防ぐことができ、これにより平板状部品を確実に嵌め込み部に装着することができる。
【００１３】
請求項７に記載の発明は、図７〜図１１、図１６に示すように、前記平板状部品（１５）が、透明板（１９）、鏡（２０）、名刺入れ（２１）、カード型電子機器（カード型の電卓２２）、ゲーム板（２３）、平面レンズ（２８）などの平板状のものであることを特徴とする請求項２〜６のいずれかに記載の折り畳み機器である。
この発明によれば、平板状部品が、透明板、鏡、名刺入れ、カード型電子機器、ゲーム板、平面レンズなどの平板状のものであることにより、これらのいずれかの機能を使用者の好みに応じて自由に選択することができる。
【００１４】
請求項８に記載の発明は、図１４〜図１８に示すように、前記カバー部材（４）が、前記一方のケース（第２ケース２）に着脱可能に装着されていることを特徴する請求項２〜７のいずれかに記載の折り畳み機器である。
この発明によれば、平板状部品をカバー部材の嵌め込み部に装着した状態で、カバー部材をケースから取り外すことができるので、平板状部品をカバー部材に装着した状態のままでも、平板状部品を折り畳み機器とは別に独立して使用することができる。
【００１５】
請求項９に記載の発明は、図１９〜図２３に示すように、前記カバー部材（４）が、前記一方のケース（第２ケース２）にヒンジ部材（３０）によって回動可能に取り付けられていることを特徴する請求項２〜７のいずれかに記載の折り畳み機器である。
この発明によれば、平板状部品をカバー部材の嵌め込み部に装着した状態で、ヒンジ部材によってカバー部材を回動させることができるので、例えば折り畳み機器を開いて使用するときに、カバー部材を回動させて平板状部品を所定位置に配置することができ、これにより折り畳み機器の使用時においても平板状部品を使用することができる。この場合、平板状部品として例えば平面レンズを用いると、ルーペとして使用することができるので、カバー部材が装着された一方のケースの内面に表示部が設けられていれば、カバー部材をほぼ３６０°回動させて平板状部品を一方のケースの内面に配置することにより、一方のケースの表示部に表示された情報を平面レンズで拡大して見ることができる。また、カバー部材を回動させて一方のケースの外表面から離すことにより、平面レンズで印刷物などの観察物を拡大して見ることもできる。
【００１６】
請求項１０に記載の発明は、図２４〜図２８に示すように、前記平板状部品（１５）が、前記一方のケース（第２ケース２）にヒンジ部材（３５）によって回動可能に取り付けられていることを特徴する請求項２〜８のいずれかに記載の折り畳み機器である。
この発明によれば、カバー部材を一方のケースに装着した状態で、ヒンジ部材によって平板状部品を回動させることができるので、例えば折り畳み機器を開いて使用するときに、平板状部品のみを回動させて所定位置に配置することができ、これにより折り畳み機器の使用時においても平板状部品を使用することができる。この場合にも、請求項９に記載の発明と同様、平板状部品として例えば平面レンズを用いると、ルーペとして使用することができるので、カバー部材が装着された一方のケースの内面に表示部が設けられていれば、平面レンズのみをほぼ３６０°回動させて一方のケースの内面に配置することにより、一方のケースの表示部に表示された情報を平面レンズで拡大して見ることができる。また、平面レンズのみを回動させて一方のケースの外表面から離すことにより、平面レンズで印刷物などの観察物を拡大して見ることもできる。
【００１７】
【発明の実施の形態】
［第１実施形態］
以下、図１〜図１１を参照して、この発明を電子辞書に適用した第１実施形態について説明する。
図１はこの発明の電子辞書の携帯時における平面図、図２は図１の側面図、図３はその電子辞書の使用時における平面図、図４は図３の側面図である。
この電子辞書は、図１および図２に示すように、互いに重なり合う第１、第２ケース１、２を備え、この第１ケース１と第２ケース２とがヒンジ部３によって回動可能に連結され、第２ケース２の外表面にカバー部材４が着脱可能に装着された構成になっている。
【００１８】
この場合、第１ケース１は、図３および図４に示すように、横長のほぼ平板状に形成されており、その内部には、キーボード５が第２ケース２に対向する第１ケース１の対向面（図４では上面）に露出した状態で設けられている。このキーボード５は、文字キー、カーソルキー、ファンクションキーなどの辞書機能に必要な各種のキーを備えている。また、第２ケース２は、図３および図４に示すように、第１ケース１とほぼ同じサイズの平板状に形成されており、その内部には、表示部６が第１ケース１に対向する第２ケース２の対向面（図４では上面）に露出した状態で設けられている。この表示部６は、液晶表示素子やＥＬ表示素子（エレクトロルミネッセンス表示素子）などの平面型の表示素子からなり、電気光学的に情報を表示するように構成されている。
【００１９】
ヒンジ部３は、図３および図４に示すように、第１ケース１の上辺部（図４では左端部）にその両端部を除いて設けられた第１凸部７と、第２ケース２の下辺部（図４では右下端部）の両側に設けられた第２凸部８とを備え、第１ケース１の第１凸部７を第２ケース２の両側の第２凸部８間に配置し、この状態で第１、第２凸部７、８を連結軸９で回動可能に連結した構成になっている。この場合、第１ケース１と第２ケース２とは、ヒンジ部３を介してフレキシブル配線基板などの接続部材（図示せず）によって電気的に接続されている。
【００２０】
カバー部材４は、図１および図５に示すように、第２ケース２の外表面とほぼ同じ大きさの平板状に形成されており、その周囲には、ヒンジ部３側を除く第２ケース２の側面に対応する側壁部１０が形成されている。この側壁部１０には、第２ケース２に設けられた第１、第２係止突起１１、１２にそれぞれ係脱可能に係合する第１、第２係合凹部１３、１４が設けられている。すなわち、カバー部材４の第１、第２係合凹部１３、１４のうち、第１係合凹部１３は、図３および図４に示すように、第２ケース２の左右両側の各側面に対応する側壁部１０に設けられ、第２ケース２の左右両側面の第１係止突起１１にそれぞれ係脱可能に係合するように構成されている。また、第２係合凹部１４は、ヒンジ部３と反対側に位置する第２ケース２の先端側の側面に対応する側壁部１０に設けられ、第２ケース２の先端面の第２係止突起１２にそれぞれ係脱可能に係合するように構成されている。
【００２１】
また、このカバー部材４の外表面には、図１および図５に示すように、平板状部品１５を外部に露出させた状態で嵌め込むための嵌め込む部１６が設けられている。この嵌め込み部１６は、図５および図６に示すように、カバー部材４の外表面側のみに開放された凹部形状に形成されている。この場合、嵌め込み部１６の上辺部には、平板状部品１５を取り外すときに指や工具を挿入するための円弧状の切欠き部１７が設けられている。また、この嵌め込み部１６におけるカバー部材４の外表面側に位置する縁部には、平板状部品１５を係脱可能に係止する弾性係止突起１８が設けられている。この弾性係止突起１８は、平板状部品１５を嵌め込み部１６に嵌め込むときに弾性変形し、平板状部品１５が嵌め込まれると、弾性復帰して平板状部品１５を係止することにより、平板状部品１５が嵌め込み部１６から勝手に抜け出さないように構成されている。
【００２２】
ところで、平板状部品１５は、例えば、図７に示す透明板１９、図８に示す鏡２０、図９に示す名刺入れ２１、図１０に示すカード型の電卓２２、図１１に示すゲーム板２３などの平板状のもので、それぞれ機能が異なるものである。この場合、図７に示した透明板１９は、その下側に写真や装飾紙などのシートを配置した状態で嵌め込み部１６に嵌め込むことにより、写真や装飾紙などのシートが外部から見えるように構成されている。図８に示された鏡２０は、その反射面を外側に向けて嵌め込み部１６に嵌め込むことにより、化粧用のコンパクト鏡として使用できるように構成されている。図９に示された名刺入れ２１は、名刺などのカードを入れて嵌め込み部１６に嵌め込むことができるように構成されている。図１０に示されたカード型の電卓２２は、その操作表示面を外側に向けて嵌め込み部１６に嵌め込むことにより、電卓として使用できるように構成されている。図１１に示されたゲーム板２３は、例えば迷路ゲームをするものであり、そのゲーム面を外側に向けて嵌め込み部１６に嵌め込むことにより、ゲーム板として使用できるように構成されている。
【００２３】
次に、カバー部材４を第２ケース２の外表面に取り付ける場合について説明する。この場合には、カバー部材４の先端側の第２係合凹部１４を第２ケース２の先端側の第２係止突起１２に係合させ、この状態で第２ケース２の第２係止突起１２を中心にカバー部材４を第２ケース２の外表面に向けて回動させることにより、カバー部材４を第２ケース２の外表面に密着させると共に、カバー部材４の左右の第１係合凹部１３を第２ケース２の左右両側面の第１係止突起１１に係合させる。これにより、カバー部材４が第２ケース２に装着される。また、このカバー部材４を第２ケース２から取り外す場合には、カバー部材４の左右両側の第１係合凹部１３を第２ケース２の左右両側の第１係止突起１１から離脱させ、この状態で第２ケース２の先端側の第２係止突起１２を中心にカバー部材４を第２ケース２の外表面から離れる方向に向けて回動させた後、カバー部材４の先端側の第２係合凹部１４を第２ケース２の先端側の第２係止突起１２から離脱させることにより、カバー部材４を第２ケース２から取り外すことができる。
【００２４】
このような電子辞書では、カバー部材４を第２ケース２の外表面に装着することにより、カバー部材４によって第２ケース２を保護することができるほか、特にカバー部材４に平板状部品１５を嵌め込むための嵌め込み部１６が設けられているので、この嵌め込み部１６に機能の異なる平板状部品１５を使用者が適宜選択して嵌め込むことにより、使用者の好みに応じてカバー部材４の付加機能を自由に選択することができる。すなわち、平板状部品１５としては、図７に示した透明板１９、図８に示した鏡２０、図９に示した名刺入れ２１、図１０に示したカード型の電卓２２、図１１に示したゲーム板２３などの平板状のもので、それぞれ機能が異なるものであり、これらいずれかの機能を有する平板状部品１５を使用者の好みに応じて自由に選択することができる。
【００２５】
この場合、嵌め込み部１６に平板状部品１５が着脱可能に装着されているので、平板状部品１５を容易に交換することができ、これによりカバー部材４を変えずに機能の異なる平板状部品１５を変更することができるので、使用者が好みに応じてカバー部材４の付加機能を簡単に変更することができる。また、平板状部品１５をカバー部材４の嵌め込み部１６に装着した状態で、カバー部材４を第２ケース２から取り外すことができるので、平板状部品１５をカバー部材４に装着した状態のままで、平板状部品１５を電子辞書とは別に独立して使用することもできる。さらに、カバー部材４に設けられた嵌め込み部１６が凹部形状に形成されているので、平板状部品１５を嵌め込み部１６から取り外した状態でも、嵌め込み部１６に対応する個所の第２ケース２の外表面をカバー部材４で露出させずに覆うことができ、これにより第２ケース２の外表面を傷付けないように良好に保護することができる。
【００２６】
なお、上記第１実施形態では、カバー部材４に設けられた嵌め込み部１６が凹部形状に形成されている場合について述べたが、これに限らず、例えば図１２に示す第１変形例、または図１３に示す第２変形例のように構成しても良い。すなわち、図１２に示された第１変形例は、嵌め込む部２４がカバー部材４の表裏面に貫通して形成された開口部であり、この開口部の縁部における上下端部に平板状部品１５を係脱可能に係止する弾性係止突起２５がそれぞれ設けられた構成になっている。この弾性係止突起２５も、第１実施形態と同様、平板状部品１５を嵌め込み部２４に嵌め込むときに弾性変形し、平板状部品１５が嵌め込まれると、弾性復帰して平板状部品１５を係止するように構成されている。
【００２７】
このような第１変形例では、嵌め込み部２４がカバー部材４の表裏面に貫通して形成されているので、平板状部品１５をカバー部材４の表裏両面側から嵌め込み部２４に嵌め込むことができ、これにより平板状部品１５の着脱作業性が良いばかりか、平板状部品１５をカバー部材４とほぼ同じ厚みに形成することができるので、平板状部品１５としてカード型の電卓２２やゲーム板２３などの少し厚みのある平板状のものでも良好に装着することができる。特に、嵌め込み部２４の縁部には、平板状部品１５を係脱可能に係止する弾性係止突起２５が設けられているので、平板状部品１５を嵌め込み部２４に嵌め込むときに、弾性係止突起２５が弾性変形し、平板状部品１５が嵌め込まれると、弾性復帰して平板状部品１５を係止することができる。このため、平板状部品１５がカバー部材４から勝手に抜け出すのを防ぐことができ、これにより平板状部品１５を嵌め込み部２４に確実に装着することができる。
【００２８】
また、図１３に示された第２変形例は、嵌め込み部２６が、第１変形例とほぼ同様に、カバー部材４の表裏面に貫通して形成された開口部であり、この開口部におけるカバー部材４の外表面側の縁部つまり上部側の縁部に平板状部品１５を係止する傾斜状の係止部２７が設けられた構成になっている。このような第２変形例では、第１変形例と同様、平板状部品１５をカバー部材４とほぼ同じ厚みに形成することができるほか、平板状部品１５をカバー部材４の裏面側から嵌め込み部２６に嵌め込んで装着すると、平板状部品１５が傾斜状の係止部２７に係止されるので、平板状部品１５がカバー部材４の外表面側に抜け出すのを確実に防ぐことができる。この場合には、嵌め込み部２６の下端部側に弾性係止突起が設けられていないが、カバー部材４を第２ケース２に装着することにより、平板状部品１５がカバー部材４の裏面側に抜け出すことがないので、平板状部品１５を確実に嵌め込み部２６に装着して使用することができる。
【００２９】
［第２実施形態］
次に、図１４〜図１８を参照して、この発明を電子辞書に適用した第２実施形態について説明する。なお、図１〜図１２に示された第１実施形態および第１変形例と同一部分には同一符号を付して説明する。
この電子辞書は、第２ケース２に着脱可能に装着されるカバー部材４にその表裏面に貫通する嵌め込み部２４を設け、この嵌め込み部２４に平板状部品１５として平面レンズ２８を装着した構造で、これ以外は第１実施形態および第１変形例とほぼ同じ構造になっている。
【００３０】
すなわち、嵌め込み部２４は、図１２に示したように、カバー部材４の表裏面に貫通して形成された開口部であり、この開口部の縁部における上下端部に平面レンズ２８を係脱可能に係止する弾性係止突起２５がそれぞれ設けられた構成になっている。この弾性係止突起２５は、平面レンズ２８を嵌め込み部２４に嵌め込むときに弾性変形し、平面レンズ２８が嵌め込まれると、弾性復帰して平板状部品１５を係止するように構成されている。また、平面レンズ２８は、図１６に示すようなフレネルレンズである。
【００３１】
このような電子辞書では、第１実施形態と同様の作用効果があるほか、特にカバー部材４に設けられた嵌め込み部２４がカバー部材４の表裏面に貫通する開口部であるから、平板状部品１５である平面レンズ２８をカバー部材４の嵌め込み部２４に装着した状態でルーペとして使用することができる。すなわち、平面レンズ２８をカバー部材４の嵌め込み部２４に装着した状態で、カバー部材４を第２ケース２から取り外すことにより、平面レンズ２８をカバー部材４に装着した状態のままで、平面レンズ２８を電子辞書とは別に独立して使用することができる。例えば、第１、第２ケース１、２をヒンジ部３を中心に回動させて開いて使用するときに、図１７に示すように、第２ケース２から取り外したカバー部材４を第２ケース２の表示部６の前面側に配置すると、この表示部６に表示された情報を平面レンズ２８で拡大して見ることができる。また、図１８に示すように、カバー部材４を印刷物２９の上方に配置すると、印刷物２９に表示された情報を平面レンズ２８で拡大して見ることができる。
【００３２】
［第３実施形態］
次に、図１９〜図２３を参照して、この発明を電子辞書に適用した第３実施形態について説明する。この場合には、図１４〜図１８に示された第２実施形態と同一部分に同一符号を付して説明する。
この電子辞書は、第２ケース２にカバー部材４をヒンジ部材３０によって回動可能に取り付けた構造で、これ以外は第２実施形態とほぼ同じ構造になっている。この場合、カバー部材４は、第１実施形態と同様、第２ケース２の外表面とほぼ同じ大きさの平板状に形成され、第２ケース２の外表面を覆って装着されるように構成されている。
【００３３】
ヒンジ部材３０は、図１９および図２３に示すように、２軸ヒンジであり、ヒンジ本体３１に第１ヒンジ軸３２と第２ヒンジ軸３３とがそれぞれ設けられ、第１ヒンジ軸３２の両端部が第２ケース２に回動可能に取り付けられ、第２ヒンジ軸３３の両端部がカバー部材４に回動可能に取り付けられ、これによりカバー部材４を第２ケース２に回動可能に連結するように構成されている。すなわち、第１ヒンジ軸３２は、図２３に示すように、第１、第２ケース１、２を連結するヒンジ部３と反対側に位置する第２ケース２の端部に取り付けられており、第２ヒンジ軸３３は、第１ヒンジ軸３２が取り付けられた第２ケース２の端部に対応するカバー部材４の端部に取り付けられている。
【００３４】
これにより、カバー部材４は、第１、第２ケース１、２のヒンジ部３と反対側の端部において第２ケース２に対して回動可能に取り付けられている。また、このカバー部材４には、第２実施形態と同様、カバー部材４の表裏面に貫通する嵌め込み部２４が設けられており、この嵌め込み部２４には、平板状部品１５としてフレネルレンズである平面レンズ２８が装着されている。この場合にも、嵌め込み部２４の縁部における上下端部には、第２実施形態と同様、平面レンズ２８を係脱可能に係止する弾性係止突起（図示せず）が設けられている。
【００３５】
このような電子辞書では、第２実施形態と同様、カバー部材４に設けられた嵌め込み部２４がカバー部材４の表裏面に貫通する開口部であるから、平板状部品１５である平面レンズ２８をカバー部材４の嵌め込み部２４に装着した状態でルーペとして使用することができる。すなわち、平面レンズ２８をカバー部材４の嵌め込み部２４に装着した状態で、ヒンジ部材３０の第１、第２ヒンジ軸３２、３３を中心にカバー部材４を第２ケース２に対し回動させることができるので、第２ケース２の外表面から離して開くことにより、電子辞書にカバー部材４を取り付けた状態のままでも、平面レンズ２８を使用することができる。
【００３６】
例えば、第１、第２ケース１、２をヒンジ部３を中心に回動させて開き、この状態でヒンジ部材３０の第１、第２ヒンジ軸３２、３３を中心にカバー部材４を第２ケース２に対し約３６０°回動させて、図２０および図２１に示すように、カバー部材４を第２ケース２の表示部６の前面側に配置すると、この表示部６に表示された情報を平面レンズ２８で拡大して見ることができる。また、ヒンジ部材３０の第１、第２ヒンジ軸３２、３３を中心にカバー部材４を第２ケース２に対し所定角度つまりカバー部材４が第１ケース１とほぼ平行になる角度だけ回動させて、図２２および図２３に示すように、カバー部材４を第２ケース２の後方に向けてほぼ水平に配置し、このカバー部材４の下方に印刷物２９を配置すると、印刷物２９に表示された情報を平面レンズ２８で拡大して見ることができる。
【００３７】
［第４実施形態］
次に、図２４〜図２８を参照して、この発明を電子辞書に適用した第４実施形態について説明する。この場合には、図１９〜図２３に示された第３実施形態と同一部分に同一符号を付して説明する。
この電子辞書は、第２ケース２に着脱可能に装着されるカバー部材４に平板状部品１５としてフレネルレンズである平面レンズ２８をヒンジ部材３５によって回動可能に取り付けた構造で、これ以外は第３実施形態とほぼ同じ構造になっている。この場合、カバー部材４は、第１実施形態と同様、第２ケース２の外表面とほぼ同じ大きさの平板状に形成され、第２ケース２の外表面を覆って着脱可能に装着されるように構成されている。
【００３８】
このカバー部材４には、平面レンズ２８およびヒンジ部材３５を嵌め込むための嵌め込み部３６が設けられている。この嵌め込み部３６は、図１２に示したように、カバー部材４の表裏面に貫通して形成された開口部であり、図２４に示すように、第１、第２ケース１、２のヒンジ部３側に位置するカバー部材４の端部近傍（図２４では上辺側の端部近傍）からヒンジ部３と反対側の端部（図２４では下辺側の端部）に亘って切り欠かれている。この嵌め込み部３６内には、平面レンズ２８とヒンジ部材３５とが連結板３７によって連結された状態で配置されている。この場合、ヒンジ部材３５は、第１、第２ケース１、２のヒンジ部３と反対側の端部側（図２４では下辺側）に位置する嵌め込み部３６の端部側に配置されている。
【００３９】
このヒンジ部材３５は、第３実施形態と同様、２軸ヒンジであり、ヒンジ本体３８に第１ヒンジ軸３９と第２ヒンジ軸４０とがそれぞれ設けられ、第１ヒンジ軸３９の両端部がカバー部材４に回動可能に取り付けられ、第２ヒンジ軸４０の両端部が連結板３７に回動可能に取り付けられ、これにより連結板３７を介して平面レンズ２８がカバー部材４に回動可能に取り付けられるように構成されている。すなわち、第１ヒンジ軸３９は、第１、第２ケース１、２を連結するヒンジ部３と反対側に位置するカバー部材４の嵌め込み部３６の端部における両側面に回動可能に取り付けられており、第２ヒンジ軸４０は、カバー部材４の嵌め込み部３６内に配置される連結板３７の凹部における両端部に回動可能に取り付けられている。これにより、平面レンズ２８は、ヒンジ部材３５によって第１、第２ケース１、２のヒンジ部３と反対側の端部において連結板３７を介してカバー部材４に対し回動するように構成されている。
【００４０】
このような電子辞書では、カバー部材４に設けられた嵌め込み部３６がカバー部材４の表裏面に貫通する開口部であるから、平板状部品１５である平面レンズ２８をカバー部材４の嵌め込み部３６に装着しても、ルーペとして使用することができる。すなわち、平面レンズ２８をカバー部材４の嵌め込み部３６に装着した状態で、第２実施形態と同様に、カバー部材４を第２ケース２から取り外して使用することができるほか、特にカバー部材４を第２ケース２に取り付けた状態でも、ヒンジ部材３５の第１、第２ヒンジ軸３９、４０を中心に平面レンズ２８のみをカバー部材４に対し回動させることができるので、平面レンズ２８をカバー部材４の外表面から離して開くことにより、平面レンズ２８を使用することができる。
【００４１】
例えば、第１、第２ケース１、２をヒンジ部３を中心に回動させて開き、この状態でヒンジ部材３５の第１、第２ヒンジ軸３９、４０を中心に連結板３７を介して平面レンズ２８をカバー部材４に対し約３６０°回動させて、図２５および図２６に示すように、平面レンズ２８のみを第２ケース２の表示部６の前面に配置すると、この表示部６に表示された情報を平面レンズ２８で拡大して見ることができる。また、ヒンジ部材３５の第１、第２ヒンジ軸３９、４０を中心に連結板３７を介して平面レンズ２８をカバー部材４に対し所定角度つまり平面レンズ２８が第１ケース１とほぼ平行になる角度だけ回動させて、図２７および図２８に示すように、平面レンズ２８のみを第２ケース２の後方に向けてほぼ水平に配置し、この平面レンズ２８の下方に印刷物２９を配置すると、印刷物２９に表示された情報を平面レンズ２８で拡大して見ることができる。
【００４２】
なお、第４実施形態では、カバー部材４の嵌め込み部３６をカバー部材４の表裏面に貫通する開口部に形成した場合について述べたが、平板状部品１５である平面レンズ２８がカバー部材４にヒンジ部材３５によって回動可能に取り付けられていることにより、必ずしも嵌め込み部３６をカバー部材４の表裏面に貫通する開口部に形成する必要はなく、例えば第１実施形態の嵌め込み部１６と同様、凹部形状に形成しても良い。
また、上記第１〜第４実施形態では、カバー部材４を第２ケース２のみに着脱可能に装着した場合について述べたが、これに限らず、第１ケース１の外表面に着脱可能に装着するようにしても良く、また第１、第２ケース１、２の両方に着脱可能に装着するようにしても良い。
さらに、上記第１〜第４実施形態では、折り畳み機器として、電子辞書に適用した場合について述べたが、これに限らず、例えば電子手帳や携帯電話機、あるいはＰＤＡ（パーソナル・デジタル・アシスタント）などの折り畳み式の電子機器に広く適用することができる。
【００４３】
【発明の効果】
以上説明したように、この発明によれば、互いに重なり合う２つのケースがヒンジ部によって回動可能に連結された折り畳み機器において、２つのケースの少なくとも一方のケースにその外表面を覆った状態で装着されるほぼ平板状のカバー部材を備え、このカバー部材に、平板状部品を外部に露出させた状態で嵌め込むための嵌め込み部を設けたので、カバー部材によって少なくとも一方のケースを保護することができるほか、特にカバー部材に設けられた嵌め込み部に機能の異なる平板状部品を使用者が適宜選択して嵌め込むことにより、使用者の好みに応じてカバー部材の付加機能を自由に選択することができる。
【００４４】
この場合、平板状部品が嵌め込み部に着脱可能に装着されていることにより、平板状部品を容易に交換することができ、これによりカバー部材を変えずに機能の異なる平板状部品のみを変更することができるので、使用者が好みに応じてカバー部材の付加機能を簡単に変更することができる。
また、嵌め込み部がカバー部材の外表面側のみに開放された凹部形状に形成されていることにより、平板状部品を嵌め込み部から取り外しても、この嵌め込み部に対応する個所のケースの外表面をカバー部材で露出させずに覆うことができ、これによりカバー部材が装着されるケースの外表面を傷付けずに良好に保護することができる。
【００４５】
また、嵌め込み部がカバー部材の表裏面に貫通して形成された開口部であることにより、平板状部品をカバー部材の表裏両面側から嵌め込み部に嵌め込むことができるので、平板状部品の着脱作業性が良いばかりか、平板状部品をカバー部材とほぼ同じ厚みに形成することができるので、平板状部品としてカード型の電子機器やゲーム板などの少し厚みのある平板状のものでも良好に装着することができる。この場合、少なくともカバー部材の外表面側に位置する開口嵌め込み部の縁部に、平板状部品を係止する係止部が設けられていることにより、平板状部品をカバー部材の嵌め込み部に嵌め込んで装着すると、平板状部品が係止部に係止されるので、平板状部品がカバー部材の外表面から抜け出すのを防ぐことができ、これにより平板状部品を確実に嵌め込み部に装着することができる。
【００４６】
また、平板状部品が、透明板、鏡、名刺入れ、カード型電子機器、ゲーム板、平面レンズなどの平板状のものであることにより、これらのいずれかの機能を使用者の好みに応じて自由に選択することができる。
さらに、カバー部材が一方のケースに着脱可能に装着されていることにより、平板状部品をカバー部材の嵌め込み部に装着した状態で、カバー部材をケースから取り外すことができるので、平板状部品をカバー部材に装着した状態のままでも、平板状部品を折り畳み機器とは別に独立して使用することができる。
【００４７】
また、カバー部材が前記一方のケースにヒンジ部材によって回動可能に取り付けられていることにより、平板状部品をカバー部材の嵌め込み部に装着した状態で、ヒンジ部材によってカバー部材を回動させることができるので、例えば折り畳み機器を開いて使用するときに、カバー部材を回動させて平板状部品を所定位置に配置することができ、これにより折り畳み機器の使用時においても平板状部品を使用することができる。この場合、平板状部品として例えば平面レンズを用いると、ルーペとして使用することができるので、カバー部材が装着された一方のケースの内面に表示部が設けられていれば、カバー部材をほぼ３６０°回動させて平板状部品を一方のケースの内面に配置することにより、一方のケースの表示部に表示された情報を平面レンズで拡大して見ることができ、またカバー部材を回動させて一方のケースの外表面から離すことにより、平面レンズで印刷物などの観察物を拡大して見ることもできる。
【００４８】
さらに、平板状部品が一方のケースにヒンジ部材によって回動可能に取り付けられていることにより、カバー部材を一方のケースに装着した状態で、ヒンジ部材によって平板状部品を回動させることができるので、例えば折り畳み機器を開いて使用するときに、平板状部品のみを回動させて所定位置に配置することができ、これにより折り畳み機器の使用時においても平板状部品を使用することができる。この場合にも、平板状部品として例えば平面レンズを用いると、ルーペとして使用することができるので、カバー部材が装着された一方のケースの内面に表示部が設けられていれば、平面レンズのみをほぼ３６０°回動させて一方のケースの内面に配置することにより、一方のケースの表示部に表示された情報を平面レンズで拡大して見ることができ、また平面レンズのみを回動させて一方のケースの外表面から離すことにより、平面レンズで印刷物などの観察物を拡大して見ることもできる。
【図面の簡単な説明】
【図１】この発明を電子辞書に適用した第１実施形態において第１、第２ケースを閉じて重ね合わせた状態を示した平面図。
【図２】図１の側面図。
【図３】図１の第１、第２ケースを開いて使用する状態を示した平面図。
【図４】図３の側面図。
【図５】図１のカバー部材を示した斜視図。
【図６】図５のＡ−Ａ矢視における拡大断面図。
【図７】図１の平板状部品である透明板を示した斜視図。
【図８】図１の平板状部品である鏡を示した斜視図。
【図９】図１の平板状部品である名刺入れを示した斜視図。
【図１０】図１の平板状部品であるカード型の電卓を示した斜視図。
【図１１】図１の平板状部品であるゲーム板を示した斜視図。
【図１２】カバー部材の嵌め込み部の第１変形例を示した拡大断面図。
【図１３】カバー部材の嵌め込み部の第２変形例を示した拡大断面図。
【図１４】この発明を電子辞書に適用した第２実施形態において第１、第２ケースを閉じて重ね合わせた状態でカバー部材を第２ケースに装着する状態を示した分解斜視図。
【図１５】図１４のカバー部材の平面図。
【図１６】図１５の平板状部品である平面レンズを示した斜視図。
【図１７】図１４の第１、第２ケースを開いた状態で平面レンズを使用する状態を示した平面図。
【図１８】図１４の電子辞書とは別にカバー部材の平面レンズを使用する状態を示した平面図。
【図１９】この発明を電子辞書に適用した第３実施形態において第２ケースに装着されるカバー部材を示した平面図。
【図２０】図１９のカバー部材を第２ケースの前面側に配置して使用する状態を示した側面図。
【図２１】図２１の平面図。
【図２２】図１９のカバー部材を第２ケースの後方にほぼ水平に配置して使用する状態を示した側面図。
【図２３】図２２の平面図。
【図２４】この発明を電子辞書に適用した第４実施形態において第２ケースに装着されるカバー部材を示した平面図。
【図２５】図２４の平面レンズを第２ケースの前面側に配置して使用する状態を示した側面図。
【図２６】図２５の平面図。
【図２７】図２４の平面レンズを第２ケースの後方にほぼ水平に配置して使用する状態を示した側面図。
【図２８】図２７の平面図。
【符号の説明】
１  第１ケース
２  第２ケース
３  ヒンジ部
４  カバー部材
５  キーボード
６  表示部
１３、１４  第１、第２係合凹部
１５  平板状部品
１６、２４、２６、３６  嵌め込み部
１８、２５  弾性係止突起
１９  透明板
２０  鏡
２１  名刺入れ
２２  カード型の電卓
２３  ゲーム板
２７  係止部
２８  平面レンズ
３０、３５  ヒンジ部材
【図１】
2005018324.tif 000003
【図２】
2005018324.tif 000004
【図３】
2005018324.tif 000005
【図４】
2005018324.tif 000006
【図５】
2005018324.tif 000007
【図６】
2005018324.tif 000008
【図７】
2005018324.tif 000009
【図８】
2005018324.tif 000010
【図９】
2005018324.tif 000011
【図１０】
2005018324.tif 000012
【図１１】
2005018324.tif 000013
【図１２】
2005018324.tif 000014
【図１３】
2005018324.tif 000015
【図１４】
2005018324.tif 000016
【図１５】
2005018324.tif 000017
【図１６】
2005018324.tif 000018
【図１７】
2005018324.tif 000019
【図１８】
2005018324.tif 000020
【図１９】
2005018324.tif 000021
【図２０】
2005018324.tif 000022
【図２１】
2005018324.tif 000023
【図２２】
2005018324.tif 000024
【図２３】
2005018324.tif 000025
【図２４】
2005018324.tif 000026
【図２５】
2005018324.tif 000027
【図２６】
2005018324.tif 000028
【図２７】
2005018324.tif 000029
【図２８】
2005018324.tif 000030